(57)【要約】【課題】カバー部の開放時に、定着部の着脱作業を容易に行うことができる画像形成装置を提供する。【解決手段】画像形成装置１は、シートＳに画像を形成する。画像形成装置１は、シートＳに画像を定着させる定着部５と、定着部５を収容する筐体２とを備える。筐体２は、開口２１と、開口２１を覆うカバー部２２とを有する。カバー部２２は、カバー部２２の開放時に、開口２１を覆う閉状態から第１開状態を介して第２開状態に遷移する。定着部５は、カバー部２２が第１開状態である場合に、開口２１を介して筐体２の内部から露出している。定着部５は、カバー部２２が第１開状態から第２開状態に遷移する際に、筐体２の内部から筐体２の外部に向かって移動する。【選択図】図８
2019003098.tif 000002
【特許請求の範囲】
【請求項１】
記録媒体に画像を形成する画像形成装置であって、
前記記録媒体に前記画像を定着させる定着部と、
前記定着部を収容する筐体と
を備え、
前記筐体は、開口と、前記開口を覆うカバー部とを有し、
前記カバー部は、前記カバー部の開放時に、前記開口を覆う状態から第１開状態を介して第２開状態に遷移し、
前記定着部は、
前記カバー部が前記第１開状態である場合に、前記開口を介して前記筐体の内部から露出しており、
前記カバー部が前記第１開状態から前記第２開状態に遷移する際に、前記筐体の内部から前記筐体の外部に向かって移動する、画像形成装置。
【請求項２】
前記カバー部は、前記カバー部の開放時に、前記第２開状態から第３開状態に更に遷移し、
前記定着部は、前記カバー部が前記第２開状態から前記第３開状態に遷移する際に、前記筐体の内部から前記筐体の外部に向かって更に移動する、請求項１に記載の画像形成装置。
【請求項３】
前記定着部は、前記カバー部が前記第３開状態である場合に、前記筐体から着脱可能である、請求項２に記載の画像形成装置。
【請求項４】
前記カバー部は、前記開口を覆う状態から前記第１開状態に遷移する際に前記定着部と連動する、請求項１から請求項３のいずれか１項に記載の画像形成装置。
【請求項５】
前記カバー部は、カバー本体と、係合部とを有し、
前記係合部は、前記定着部の一端部に設けられた凹部と、前記カバー本体の一端部に設けられた突部とを有し、
前記突部は、前記カバー部が前記開口を覆う状態から前記第１開状態に遷移する際に前記凹部に係合する、請求項１から請求項４のいずれか１項に記載の画像形成装置。
【請求項６】
前記カバー部は、前記カバー本体の一端部に設けられた軸部と、前記筐体に設けられた軸支部とを更に有し、
前記軸支部は、長尺状に形成された軸支開口によって前記軸部を軸支する、請求項５に記載の画像形成装置。
【請求項７】
前記カバー本体は、
前記カバー部が前記開口を覆う状態から前記第１開状態に遷移する際に、前記軸心を中心に旋回し、
前記カバー部が前記第１開状態から前記第２開状態に遷移する際に、前記軸支開口に沿って前記軸部が移動することによって、前記筐体の内部から前記筐体の外部に向かって移動し、
前記カバー部が前記第２開状態から前記第３開状態に遷移する際に、前記軸心を中心に更に旋回する、請求項６に記載の画像形成装置。
【発明の詳細な説明】
【技術分野】
【０００１】
本発明は、画像形成装置に関する。
【背景技術】
【０００２】
特許文献１に記載のカラー電子写真装置は、定着ユニットと、上本体とを備える。定着ユニットは、トナー画像を用紙に定着させる。上本体は、定着ユニットを内部に収容する。上本体には、取出口と、定着カバーとが設けられている。定着カバーは、取出口を塞ぐ。定着カバーは、取出口に対して開閉可能である。特許文献１に記載のカラー電子写真装置では、定着カバーを開いて取出口を開放した後に、取出口を介して定着ユニットが着脱される。
【先行技術文献】
【特許文献】
【０００３】
【特許文献１】特開平７−３２５４４４号公報
【発明の概要】
【発明が解決しようとする課題】
【０００４】
しかしながら、特許文献１に記載の画像形成装置（カラー電子写真装置）では、カバー部（定着カバー）を開いた後に、開口（取出口）を介して作業者が手を挿し込んで、定着部（定着ユニット）の着脱作業を行う必要がある。したがって、例えば、筐体（上本体）と定着部との間で作業者が手を自由に動かすことが困難になり、定着部の着脱作業を容易に行えないおそれがある。
【０００５】
本発明は上記課題に鑑みてなされたものであり、その目的は、カバー部の開放時に、定着部の着脱作業を容易に行うことができる画像形成装置を提供することにある。
【課題を解決するための手段】
【０００６】
本発明の画像形成装置は、記録媒体に画像を形成する。前記画像形成装置は、定着部と、筐体とを備える。前記定着部は、前記記録媒体に前記画像を定着させる。前記筐体は、前記定着部を収容する。前記筐体は、開口と、前記開口を覆うカバー部とを有する。前記カバー部は、前記カバー部の開放時に、前記開口を覆う状態から第１開状態を介して第２開状態に遷移する。前記定着部は、前記カバー部が前記第１開状態である場合に、前記開口を介して前記筐体の内部から露出する。前記定着部は、前記カバー部が前記第１開状態から前記第２開状態に遷移する際に、前記筐体の内部から前記筐体の外部に向かって移動する。
【発明の効果】
【０００７】
本発明の画像形成装置によれば、カバー部の開放時に、定着部の着脱作業を容易に行うことができる。
【図面の簡単な説明】
【０００８】
【図１】本発明の実施形態に係る画像形成装置を示す図である。
【図２】本発明の実施形態に係るカバー部の閉状態を示す図である。
【図３】本発明の実施形態に係るカバー部の第１開状態を示す図である。
【図４】本発明の実施形態に係るカバー部の第２開状態を示す図である。
【図５】本発明の実施形態に係るカバー部の第３開状態を示す図である。
【図６】図２に示すカバー部が閉状態における定着部を示す図である。
【図７】図３に示すカバー部が第１開状態における定着部を示す図である。
【図８】図４に示すカバー部が第２開状態における定着部を示す図である。
【図９】図５に示すカバー部が第３開状態における定着部を示す図である。
【発明を実施するための形態】
【０００９】
以下、図面を参照して本発明の実施形態を説明する。ただし、本発明は以下の実施形態に限定されない。なお、図中、同一又は相当部分については、同一の参照符号を付して説明を繰り返さない。
【００１０】
図１を参照して、本発明の実施形態に係る画像形成装置１について説明する。図１は、本実施形態に係る画像形成装置１の構成を示す図である。図１に示すように、画像形成装置１は、複合機である。複合機は、例えば、コピー機能、プリンター機能、及びファクシミリ機能のうち少なくとも２つの機能を有する。画像形成装置１は、画像データに基づいてシートＳに画像を形成する。
【００１１】
シートＳは、本発明の記録媒体の一例である。シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１２】
画像形成装置１は、筐体２と、給紙部３と、画像形成部４と、定着部５と、排出トレイ６と、操作パネル７と、制御部８とを備える。
【００１３】
操作パネル７は、筐体２の上面部に配置される。操作パネル７は、画像形成装置１を操作する操作者の操作を受け付ける。操作パネル７は、操作部と、表示部とを有する。操作部は、操作信号を制御部８に出力する。操作信号は、操作者の操作に対応する信号である。操作者の操作は、例えば、画像形成装置１の各種設定を含む。表示部は、各種の画面を表示する。表示部は、例えば、液晶ディスプレーを含む。また、表示部は、タッチパネル機能を有する場合に、操作部としても機能する。
【００１４】
ここで、操作パネル７の表示部が向く方向（図示左方向）を画像形成装置１の前方として前後方向を規定する。また、画像形成装置１の正面に向かって左手側を左方とし、左右方向を規定する。また、前後方向、及び左右方向と直交する方向を上下方向と規定する。
【００１５】
筐体２は、箱状に形成される。筐体２は、給紙部３と、画像形成部４と、定着部５と、制御部８とを内部に収容する。筐体２は、開口２１と、カバー部２２とを有する。開口２１は、例えば、筐体２の背面側に形成される。開口２１は、少なくとも定着部５が通過可能な開口面積を有する。
【００１６】
カバー部２２は、開口２１を覆う。カバー部２２は、筐体２に対して開閉可能である。カバー部２２は、開かれた際に開口２１を開放する。カバー部２２は、カバー本体２３と、軸部２４とを有する。本実施形態において、軸部２４は、カバー本体２３の下端部に設けられる。カバー本体２３は、カバー部２２の開閉時に、軸部２４を中心に軸部２４の回りを旋回する。
【００１７】
給紙部３は、画像形成部４に向かってシートＳを供給する。給紙部３は、給紙カセット３１を有する。給紙カセット３１には、複数のシートＳを載置し得る。画像形成部４は、シートＳにトナー画像を形成する。画像形成部４は、像担持体４１と、帯電部４２と、露光部４３と、現像部４４と、転写部４５とを有する。
【００１８】
定着部５は、シートＳにトナー画像を定着させる。詳しくは、定着部５は、加熱部材と、加圧部材とを有する。加熱部材は、シートＳを加熱する。加圧部材は、加熱部材との間でシートＳを加圧する。したがって、定着部５を通過したシートＳには、トナー画像が定着する。なお、定着部５を通過したシートＳは、排出トレイ６に排出される。
【００１９】
定着部５は、ケーシングを更に有する。ケーシングは、加熱部材及び加圧部材を内部に収容する。また、ケーシングは、シートＳの搬送経路の一部を形成する。
【００２０】
定着部５のケーシングは、例えば、筐体２の前後方向に沿って移動可能に構成される。ケーシングは、ケーシング本体と、案内部とを有する。案内部は、ケーシング本体の左右方向の端部に設けられる。案内部は、レール部に沿ってケーシング本体とともに前後方向に移動する。レール部は、筐体２の左右方向の端部に前後方向に沿って設けられる。
【００２１】
定着部５は、筐体２に着脱可能である。具体的には、定着部５は、筐体２にケーシングを着脱することによって、筐体２に着脱される。定着部５は、ケーシングが筐体２の後端部に位置する際に、開口２１を介して筐体２に着脱される。定着部５の着脱作業は、カバー部２２を開いた後に、例えば作業者によって実施される。
【００２２】
制御部８は、画像形成装置１の各部を制御する。制御部８は、例えば、プロセッサーと、記憶部とを含む。プロセッサーは、例えば、ＣＰＵ（Ｃｅｎｔｒａｌ  Ｐｒｏｃｅｓｓｉｎｇ  Ｕｎｉｔ）である。記憶部は、例えば、半導体メモリー及びＨＤＤ（Ｈａｒｄ  Ｄｉｓｋ  Ｄｒｉｖｅ）を含む。プロセッサーは、コンピュータープログラムに基づいて、給紙部３と、画像形成部４と、定着部５と、操作パネル７とを制御する。コンピュータープログラムは、記憶部に予め記憶される。
【００２３】
次に、図２から図５を参照して、カバー部２２について更に説明する。図２は、カバー部２２の閉状態を示す図である。図２に示すように、カバー部２２は、カバー本体２３、及び軸部２４に加えて、軸支部２５を更に有する。
【００２４】
軸部２４は、例えば、左右方向に沿って配置される。軸部２４は、カバー本体２３に軸支される。この結果、軸部２４が回転するとともに、カバー本体２３が軸部２４を中心に軸部２４の回りで旋回する。また、軸部２４は、楕円状又は矩形状のような一方に長尺状な断面を有する。この結果、軸部２４は、１つの断面において軸径が異なり、軸径が最大となる最大軸径と、軸径が最小となる最小軸径とを有する。
【００２５】
軸支部２５は、筐体２の背面側の端部に設けられる。軸支部２５は、軸部２４を軸支する。軸支部２５は、軸支部本体と、軸支開口２５ａとを有する。軸支部本体は、板状に形成される。軸支部本体は、筐体２の背面側の両端部に設けられる。
【００２６】
軸支開口２５ａは、軸支部本体に形成される。軸支開口２５ａには、軸部２４が挿し込まれる。軸支開口２５ａは、筐体２の前後方向に沿って長尺状に形成される。したがって、軸部２４は、軸支開口２５ａに沿って筐体２の前後方向に移動可能である。
【００２７】
軸支開口２５ａの前後方向の両側端部は、軸支開口２５ａの両側端部を除く中央部に比べて、開口の幅が大きい。換言すると、軸支開口２５ａの中央部の幅は、軸部２４の最大軸径よりも小さく、軸部２４の最小軸径よりも大きい。したがって、軸部２４は、軸支開口２５ａの両側端部に位置する場合にのみ回転可能であり、軸支開口２５ａの中央部に位置する場合に回転しない。
【００２８】
カバー部２２の閉状態は、カバー本体２３が開口２１を塞ぐ状態である。詳しくは、カバー本体２３は、カバー部２２の閉状態において、軸部２４の上方に位置し、筐体２の背面に沿って起立する。この結果、カバー本体２３は、開口２１を塞ぐ。
【００２９】
図３は、カバー部２２の第１開状態を示す図である。カバー部２２は、カバー部２２の開放時に、図２を参照して説明した閉状態から第１開状態に遷移する。
【００３０】
図３に示すように、カバー部２２の第１開状態は、カバー本体２３が軸部２４回りに旋回して、閉状態から遷移した状態である。詳しくは、カバー本体２３は、例えば作業者によって、軸部２４を中心に軸部２４回りの第１方向Ｒ１に旋回される。本実施形態において、第１方向Ｒ１は、軸部２４の時計回りである。この結果、カバー部２２が閉状態から第１開状態に遷移する。カバー部２２の第１開状態において、図１を参照して説明した定着部５は、開口２１を介して目視可能に露出する。
【００３１】
図４は、カバー部２２の第２開状態を示す図である。カバー部２２は、カバー部２２の開放時に、図３を参照して説明した第１開状態から第２開状態に遷移する。
【００３２】
図４に示すように、カバー部２２の第２開状態は、カバー本体２３が第２方向Ｒ２に引き出されて、第１開状態から遷移した状態である。詳しくは、カバー本体２３は、例えば作業者によって、第２方向Ｒ２に引き出される。第２方向Ｒ２は、筐体２の後方である。この結果、カバー部２２が第１開状態から第２開状態に遷移する。
【００３３】
カバー部２２が第１開状態から第２開状態に遷移する際に、軸部２４は、カバー本体２３とともに軸支開口２５ａに沿って第２方向Ｒ２に移動する。この結果、軸部２４は、軸支開口２５ａの前端部から後端部に移動する。
【００３４】
図５は、カバー部２２の第３開状態を示す図である。カバー部２２は、カバー部２２の開放時に、図４を参照して説明した第２開状態から第３開状態に遷移する。
【００３５】
図５に示すように、カバー部２２の第３開状態は、カバー本体２３が軸部２４回りに旋回して、第２開状態から遷移した状態である。詳しくは、カバー本体２３は、例えば作業者によって、軸部２４を中心に軸部２４回りの第３方向Ｒ３に旋回される。本実施形態において、第３方向Ｒ３は、軸部２４の時計回りである。この結果、カバー部２２が第２開状態から第３開状態に遷移する。なお、カバー部２２は、例えば、カバー部２２が第２開状態に遷移した後に、カバー本体２３の自重によってカバー本体２３が第３方向Ｒ３に旋回して、第３開状態に遷移してもよい。
【００３６】
カバー部２２は、カバー部２２を閉じる際に、第３開状態（図５を参照）から第２開状態（図４を参照）及び第１開状態（図３を参照）を介して閉状態（図２を参照）に遷移する。カバー部２２は、例えば作業者によって閉じられる。具体的には、カバー部２２の第３開状態において、カバー本体２３が第３方向Ｒ３とは逆向きに旋回されて、カバー部２２が第３開状態から第２開状態に遷移する。また、カバー部２２の第２開状態において、カバー本体２３が第２方向Ｒ２とは逆向きに押し込まれて、カバー部２２が第２開状態から第１開状態に遷移する。また、カバー部２２の第１開状態において、カバー本体２３が第１方向Ｒ１とは逆向きに旋回されて、カバー部２２が第１開状態から閉状態に遷移する。
【００３７】
次に、図６から図９を参照して、カバー部２２の開放時の定着部５の移動について説明する。図６は、カバー部２２の閉状態における定着部５を示す図である。図６に示すように、カバー部２２は、カバー本体２３、軸部２４、及び図２から図５を参照して説明した軸支部２５に加えて、係合部２６を更に有する。
【００３８】
係合部２６は、突部２６ａと、凹部２６ｂと、連結部材２６ｃとを有する。突部２６ａは、カバー本体２３の下端部に設けられる。詳しくは、突部２６ａは、軸部２４の近傍から筐体２の内側に向かって延びる。突部２６ａは、カバー本体２３の旋回にともなって、軸部２４を中心に軸部２４回りに旋回する。
【００３９】
連結部材２６ｃは、例えば、板状に形成される。連結部材２６ｃは、定着部５の後端側の両端部に設けられる。連結部材２６ｃは、定着部５の後端部から後方に向かって延びる。凹部２６ｂは、連結部材２６ｃを介して定着部５の後側に設けられる。詳しくは、凹部２６ｂは、連結部材２６ｃの底面部に形成される。凹部２６ｂは、連結部材２６ｃの底面部から上方に凹む。本実施形態において、凹部２６ｂは、側面視において、台形状に形成される。
【００４０】
定着部５は、カバー部２２の閉状態において、作動位置５ａに位置する。作動位置５ａは、定着部５が定着動作を実施し得る位置である。定着動作は、図１を参照して説明したシートＳにトナー画像を定着させる動作である。
【００４１】
図７は、カバー部２２の第１開状態における定着部５を示す図である。図７に示すように、カバー部２２が閉状態から第１開状態に遷移した際に、突部２６ａは、凹部２６ｂに係合する。
【００４２】
カバー本体２３が軸部２４を中心に第１方向Ｒ１に旋回するとともに、突部２６ａは、軸部２４を中心に第１方向Ｒ１に旋回する。カバー部２２が閉状態から第１開状態に遷移した際に、突部２６ａは、凹部２６ｂの後側の壁面部に当接する。この結果、突部２６ａが凹部２６ｂに係合し、カバー部２２が定着部５と連動する。定着部５は、カバー部２２の第１開状態において、作動位置５ａに位置する。
【００４３】
本実施形態の画像形成装置１では、カバー部２２が閉状態から第１開状態に遷移した際に、定着部５が開口２１を介して露出する。したがって、例えば、定着部５と排出トレイ６との間、又は定着部５内にシートＳが詰まった場合に、作業者は、カバー部２２を閉状態から第１開状態に遷移して、ジャム処理を実施することができる。ジャム処理は、シートＳの詰まりを解消し得る処理である。
【００４４】
図８は、カバー部２２の第２開状態における定着部５を示す図である。図８に示すように、カバー部２２が第１開状態から第２開状態に遷移する際に、定着部５は、筐体２の内部から筐体２の外部に向かって移動する。
【００４５】
カバー本体２３は、カバー部２２が第１開状態から第２開状態に遷移する際に、例えば作業者によって、第２方向Ｒ２に沿って後方に引き出される。カバー部２２の第１開状態において、突部２６ａは、凹部２６ｂに係合している。したがって、定着部５は、カバー本体２３の後方への移動とともに作動位置５ａから後方に移動する。
【００４６】
本実施形態の画像形成装置１では、カバー部２２が第１開状態から第２開状態に遷移する際に、定着部５がカバー本体２３とともに作動位置５ａから後方に移動する。したがって、作業者は、筐体２の背面に近い位置において、定着部５の着脱作業を実施することができる。この結果、作業者は、例えば筐体２と定着部５との間で従来に比して自由に手を動かすことができ、定着部５の着脱作業を容易に行うことができる。
【００４７】
図９は、カバー部２２の第３開状態における定着部５を示す図である。図９に示すように、カバー部２２が第２開状態から第３開状態に遷移する際に、定着部５は、筐体２の内部から筐体２の外部に向かって更に移動する。
【００４８】
カバー本体２３は、カバー部２２が第２開状態から第３開状態に遷移する際に、例えば作業者によって、第３方向Ｒ３に沿って旋回する。この結果、突部２６ａは、カバー本体２３とともに軸部２４を中心に第３方向Ｒ３に沿って旋回する。したがって、定着部５は、カバー本体２３の旋回とともに、筐体２の外部に向かって更に移動し、カバー部２２の第３開状態において、着脱位置５ｂに位置する。着脱位置５ｂは、定着部５が筐体２から着脱され得る位置である。
【００４９】
本実施形態の画像形成装置１では、カバー部２２が第２開状態から第３開状態に遷移する際に、定着部５が後方に更に移動する。したがって、作業者は、筐体２の背面により近い着脱位置５ｂにおいて、定着部５の着脱作業を実施することができる。この結果、作業者は、定着部５の着脱作業を容易に行うことができる。
【００５０】
カバー部２２が第３開状態から第２開状態を介して第１開状態に遷移する際に、定着部５は、着脱位置５ｂから作動位置５ａに移動する。具体的には、カバー部２２が第３開状態から第２開状態に遷移する際に、突部２６ａがカバー本体２３とともに第３方向Ｒ３とは逆向きに旋回して、凹部２６ｂの前側の壁面部に当接する。この結果、突部２６ａが凹部２６ｂに係合する。また、カバー部２２が第２開状態から第１開状態に遷移する際に、突部２６ａがカバー本体２３とともに第２方向Ｒ２とは逆向きの筐体２の前方に移動する。この結果、定着部５が着脱位置５ｂから前方に移動する。また、カバー部２２が第１開状態から閉状態に遷移する際に、突部２６ａがカバー本体２３とともに第１方向Ｒ１とは逆向きに旋回する。この結果、定着部５は、作動位置５ａに移動する。
【００５１】
以上、図１から図９を参照して、本発明の実施形態に係る画像形成装置１について説明した。但し、本発明は、上記の実施形態に限られるものではなく、その要旨を逸脱しない範囲で種々の態様において実施することが可能である。
【００５２】
例えば、本発明の実施形態では、カバー本体２３が第１方向Ｒ１に旋回し、カバー部２２が閉状態から第１開状態に遷移したが、本発明はこれに限定されない。カバー部２２は、閉状態から第１開状態に遷移した際に、カバー本体２３の旋回を規制する第１規制部を有してもよい。第１規制部は、軸部２４が軸支開口２５ａに沿って前方に移動できるように軸部２４の回転を規制する。具体的には、第１規制部は、カバー本体２３に設けられた第１当接部と、筐体２に設けられた第１被当接部とを有する。第１当接部は、カバー本体２３が第１方向Ｒ１に沿って所定の角度旋回した際に、第１被当接部に当接してカバー本体２３の旋回を規制する。この結果、カバー部２２が第１開状態から第２開状態に遷移する際に、カバー本体２３を第２方向Ｒ２にスムーズに移動させることができる。
【００５３】
また、本発明の実施形態では、カバー本体２３が第３方向Ｒ３の逆向きに旋回し、カバー部２２が第３開状態から第２開状態に遷移したが、本発明はこれに限定されない。カバー部２２は、第３開状態から第２開状態に遷移した際に、カバー本体２３の旋回を規制する第２規制部を有してもよい。第２規制部は、軸部２４が軸支開口２５ａに沿って後方に移動できるように軸部２４の回転を規制する。具体的には、第２規制部は、カバー本体２３に設けられた第２当接部と、筐体２に設けられた第２被当接部とを有する。第２当接部は、カバー本体２３が第３方向Ｒ３の逆向きに所定の角度旋回した際に、第２被当接部に当接してカバー本体２３の旋回を規制する。この結果、カバー部２２が第２開状態から第１開状態に遷移する際に、カバー本体２３が第２方向Ｒ２の逆向きにスムーズに移動される。
【００５４】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００５５】
本発明は、画像形成装置に関するものであり、カバー部の開放時に、定着部を筐体に容易に着脱するために有用である。
【符号の説明】
【００５６】
１        画像形成装置
２        筐体
５        定着部
２１      開口
２２      カバー部
Ｓ        原稿
【図１】
2019003098.tif 000003
【図２】
2019003098.tif 000004
【図３】
2019003098.tif 000005
【図４】
2019003098.tif 000006
【図５】
2019003098.tif 000007
【図６】
2019003098.tif 000008
【図７】
2019003098.tif 000009
【図８】
2019003098.tif 000010
【図９】
2019003098.tif 000011